(57)【要約】【課題】布団に容易に装着できる布団カバーを提供する。【解決手段】矩形で袋状の布団カバー１０は、一対の短辺部と一対の短辺部をつなぐ一対の長辺部２２とを有する。一対の短辺部は、閉じた第１短辺部２４ａと、開いた第２短辺部２４ｂとを有する。一対の長辺部２２には、第１短辺部２４ａの近傍に開口部２０がそれぞれ形成される。布団カバー１０の内側であって開口部２０の近傍には、第２短辺部２４ｂから挿入された布団を留める布団留め部３０が設けられる【選択図】図２
0003217578.tif 000002
【実用新案登録請求の範囲】
【請求項１】
一対の短辺部と一対の前記短辺部をつなぐ一対の長辺部とを有する矩形で袋状の布団カバーであって、
一対の前記短辺部は、閉じた第１短辺部と、布団の挿入口を形成する開いた第２短辺部とを有し、
一対の前記長辺部側には開口部がそれぞれ形成され、
前記開口部は、前記第１短辺部の近傍に位置することを特徴とする布団カバー。
【請求項２】
該布団カバーの内側であって前記開口部の近傍に第２短辺部から挿入された布団を留める布団留め部が設けられることを特徴とする請求項１に記載の布団カバー。
【考案の詳細な説明】
【技術分野】
【０００１】
本考案は、布団に掛ける布団カバーに関する。
【背景技術】
【０００２】
従来の布団カバーは、４辺のうち長辺の一つに布団の挿入口を有するものがあるが、布団を布団カバーの奥隅まで合わせるよう挿入することが煩瑣であった。特許文献１には、布団を布団カバーの奥隅まで合わせる作業を容易にするため、布団カバーの４辺のうち３辺が開くように設けた布団カバーが開示されている。この布団カバーは、開いた３辺を閉じることが可能なファスナーを設けている。
【先行技術文献】
【特許文献】
【０００３】
【特許文献１】特開平１０−２１５９９５号公報
【考案の概要】
【考案が解決しようとする課題】
【０００４】
特許文献１に開示される技術では、布団カバーを布団に装着する際に３辺に渡ってファスナーを閉じる作業が煩瑣である。
【０００５】
本考案はこのような課題に鑑みてなされたものであり、その目的は、布団に容易に装着できる布団カバーを提供することにある。
【課題を解決するための手段】
【０００６】
上記課題を解決するために、本考案のある態様は、一対の短辺部と一対の短辺部をつなぐ一対の長辺部を有する矩形で袋状の布団カバーであって、一対の短辺部は、閉じた第１短辺部と、布団の挿入口を形成する開いた第２短辺部とを有する。一対の長辺部側には開口部がそれぞれ形成される。開口部は、第１短辺部の近傍に位置する。
【考案の効果】
【０００７】
本考案によれば、布団に容易に装着できる布団カバーを提供できる。
【図面の簡単な説明】
【０００８】
【図１】実施例の布団カバー１０について説明するための図である。
【図２】図２（ａ）は、布団カバーの側面図であり、図２（ｂ）は、布団カバーの平面図である。
【図３】図３（ａ）は、図２（ａ）に示す布団カバーの領域Ａの拡大図であり、図３（ｂ）は、図２（ｂ）に示す布団カバーの領域Ｂの拡大図である。
【図４】図４は、布団カバーを布団に装着する作業について説明するための図である。
【考案を実施するための形態】
【０００９】
図１は、実施例の布団カバー１０について説明するための図である。図１には、布団カバー１０を布団１２に掛ける作業途中の状態を示す。
【００１０】
布団カバー１０は、布団１２に掛けられるよう、矩形の袋状に形成される。布団カバー１０の両側縁にはユーザの手１４を挿入可能な開口部２０がそれぞれ形成される。これにより、ユーザが開口部２０から挿入した手で布団１２を布団カバー１０の内側で把持して布団カバー１０の奥まで容易に引き込むことができ、布団カバー１０の装着作業を容易にできる。
【００１１】
図２（ａ）は、布団カバー１０の側面図であり、図２（ｂ）は、布団カバー１０の平面図である。また、図３（ａ）は、図２（ａ）に示す布団カバー１０の領域Ａの拡大図であり、図３（ｂ）は、図２（ｂ）に示す布団カバー１０の領域Ｂの拡大図である。
【００１２】
布団カバー１０は、開口部２０、一対の長辺部２２、第１短辺部２４ａ、第２短辺部２４ｂ、口留め部２８および布団留め部３０を有する。
【００１３】
一対の長辺部２２は、布団カバー１０の両側縁を閉じており、第１短辺部２４ａおよび第２短辺部２４ｂをつなぎ、第１短辺部２４ａおよび第２短辺部２４ｂより長い。第１短辺部２４ａは、閉じており、第２短辺部２４ｂは、布団１２を挿入するために開いており、布団挿入口を形成する。布団カバー１０は、２枚の布を第１短辺部２４ａおよび長辺部２２で縫い合わせて形成されてよく、１枚の布を第１短辺部２４ａで折り返して、長辺部２２で縫い合わせて形成されてよい。
【００１４】
長辺部２２は、図３（ａ）に示すように、第１短辺部２４ａの近傍に形成された開口部２０を有する。長辺部２２における第１短辺部２４ａの近傍とは、第２短辺部２４ｂより第１短辺部２４ａに近い位置であって、第１短辺部２４ａから所定範囲内にあることをいう。例えば、開口部２０は、長辺部２２において、第１短辺部２４ａから２０センチメートルの範囲内に位置する。より好ましくは、開口部２０は、長辺部２２において、第１短辺部２４ａから１０センチメートルの範囲内に位置する。開口部２０は第１短辺部２４ａに接するように設けられてもよいが、開口部２０を第１短辺部２４ａから少しだけ離すことで、布団カバー１０の角部分の強度低下を抑えることができる。開口部２０は、ユーザの手を挿入可能な大きさに設定され、長辺部２２に沿う方向において１５センチメートルから２５センチメートルの大きさに設定されてよい。開口部２０には、開口を閉じるファスナーなどが設けられていない。
【００１５】
口留め部２８は、布団カバー１０の内側で第２短辺部２４ｂの近傍に設けられ、第２短辺部２４ｂの布団挿入口を留めることが可能である。口留め部２８は、例えば布団カバー１０の内面から帯状に延出し、スナップボタンを有し、第２短辺部２４ｂの両内縁を連結する。なお、口留め部２８は、第２短辺部２４ｂに渡って形成されるファスナーであってもよい。
【００１６】
布団留め部３０は、布団カバー１０の内側に設けられ、布団カバー１０に挿入された布団１２を留めることが可能である。布団留め部３０は、布団カバー１０内側の開口部２０の近傍に設けられる。開口部２０の近傍とは、開口部２０に近い位置であって、例えば開口部２０から２０センチメートルの範囲内にあることをいう。なお、布団留め部３０は、開口部２０近傍に設けられるものに加えて、布団カバー１０内側の第２短辺部２４ｂ近傍の位置や、布団カバー１０内側で長辺部２２の中央位置に設けられてよい。
【００１７】
布団留め部３０は、帯状に形成され、結合可能なボタン部３０ａを有する。布団１２の四隅には、布団留め部３０を巻回させる紐がそれぞれ設けられる。ユーザは、開口部２０から手を挿入して布団１２の隅にある紐に布団留め部３０を巻回させて、ボタン部３０ａ同士を結合して、布団カバー１０が布団１２からずれないように布団留め部３０で留める。このように、布団留め部３０を開口部２０の近傍に設けることで、ユーザは開口部２０から入れた手で布団１２の隅を布団留め部３０で容易に留めることができる。また、布団カバー１０を取り外す際に、開口部２０から手を入れて布団留め部３０を容易に外すことができる。
【００１８】
図４は、布団カバー１０を布団１２に装着する作業について説明するための図である。図４（ａ）に示すように、ユーザは両方の手を布団カバー１０の開口部２０にそれぞれ挿入する。開口部２０が一対の長辺部２２にそれぞれ設けられるため、開口部２０が第１短辺部２４ａおよび第２短辺部２４ｂにそれぞれ設けられる場合と比べて、一対の開口部２０の間隔がユーザの両手の長さに合いやすい。
【００１９】
図４（ｂ）に示すように、両方の手を開口部２０にそれぞれ挿入したあと、第２短辺部２４ｂ側を捲り、図４（ｃ）に示すように第２短辺部２４ｂ側の布団挿入口から手を出す。
【００２０】
図４（ｄ）に示すように、第２短辺部２４ｂ側から出した手で布団１２を把持し、図４（ｅ）に示すように、布団１２を第１短辺部２４ａ側の奥まで引き込み、布団カバー１０の第２短辺部２４ｂ側を降ろして布団カバー１０を布団１２の全体に掛ける。
【００２１】
図４（ｆ）に示すように、布団カバー１０に布団１２を挿入した後、第２短辺部２４ｂ側に設けられた口留め部２８を留め、開口部２０近傍に設けられた布団留め部３０で布団１２を留めて、布団カバー１０の装着作業が完了する。
【００２２】
このように開口部２０にユーザの手を挿入することで、布団１２を第１短辺部２４ａ側の奥まで容易に引き込むことができる。また、開口部２０が長辺部２２側にそれぞれ設けられることで、図４（ｅ）に示す布団カバー１０の隅まで布団１２の隅を引き込む作業が容易になる。また、開口部２０を設けるだけで安価に装着作業を容易にできる。
【００２３】
また、布団カバー１０を取り外す場合は、開口部２０から手を挿入して布団留め部３０を布団１２から外し、口留め部２８を外して布団カバー１０を第２短辺部２４ｂから捲れば容易に作業できる。
【００２４】
本考案は上述の各実施例に限定されるものではなく、当業者の知識に基づいて各種の設計変更等の変形を各実施例に対して加えることも可能であり、そのような変形が加えられた実施例も本考案の範囲に含まれうる。
【符号の説明】
【００２５】
１０  布団カバー、  １２  布団、  １４  手、  ２０  開口部、  ２２  長辺部、  ２４ａ  第１短辺部、  ２４ｂ  第２短辺部、  ２８  口留め部、  ３０  布団留め部、  ３０ａ  ボタン部。
【図１】
0003217578.tif 000003
【図２】
0003217578.tif 000004
【図３】
0003217578.tif 000005
【図４】
0003217578.tif 000006